(57)【要約】【課題】  水槽や沼湖、河川、港湾等の水内へ凝集用薬剤を混合・攪拌して汚濁物質を沈殿させるようにした水の城下処理に於いて、凝集した汚濁物質のフロックを沈殿前に効率よく回収して、清浄水の確保や２次汚染の発生を防止する。【解決手段】  被処理水内へ凝集用薬剤を混合、攪拌すると共に、当該被処理水内をメッシュ状薄板体から成る回収具を移動させ、凝集用薬剤の混合、攪拌により凝集して被処理水内に浮遊した状態の汚濁物質のフロックを、前記メッシュ状薄板体の外表面へ固着させて回収する。【選択図】      図７
2005205281.tif 000002
【特許請求の範囲】
【請求項１】
被処理水内へ凝集用薬剤を混合、攪拌すると共に、当該被処理水内をメッシュ状薄板体から成る回収具を移動させ、凝集用薬剤の混合、攪拌により凝集して被処理水内に浮遊した状態の汚濁物質のフロックを、前記メッシュ状薄板体の外表面へ固着させて回収することを特徴とする水中の凝集物の回収方法。
【請求項２】
被処理水を水槽、河川又は湖沼の水若しくは港湾などの塩水とすると共に、凝集用薬剤をポリグルタミン酸架橋物を主体とする生分解性凝集剤とするようにした請求項１に記載の水中の凝集物の回収方法。
【請求項３】
船舶により凝集用薬剤の混合、攪拌及び回収具によるフロックの回収を行なう構成とした請求項２に記載の水中の凝集物の回収方法。
【請求項４】
回収具のメッシュ状薄板体に付着した汚濁物質のフロックを、当該付着物が乾燥、硬化する前にメッシュ状薄板体に振動を与えて剥離脱落させると共に、当該付着物を脱落させた後の回収具を再使用することを特徴とする請求項１又は請求項２に記載の水中の凝集物の回収方法。
【請求項５】
棒状又は枠状の支持体１と、当該支持体１に固定した複数のメッシュ状薄板体２とから形成され、凝集して水中に浮遊する汚濁物質のフロックを前記メッシュ状薄板体２の外表面へ付着させて回収することを特徴とする水中の凝集物の回収具。
【請求項６】
四角状の枠体に形成した支持体１と、複数枚のメッシュ状薄板体２を断面形状が格子を形成するように組み合せて一体化した角柱状のメッシュ板ユニット３とから形成したことを特徴とする水中の凝集物の回収具。
【請求項７】
メッシュ状薄板体を合成樹脂繊維よりなる０．８〜１．５ｍｍ平方のメッシュを有する織物から形成するようにした請求項５に記載の凝集物の回収具。
【請求項８】
メッシュ状薄板体を、０．８〜１．５ｍｍ平方又は０．５〜３．０ｍｍφの孔を多数穿設した合成樹脂製薄体から形成するようにした請求項６に記載の水中の凝集物の回収具。
【発明の詳細な説明】
【技術分野】
【０００１】
本発明は、凝集用薬剤の混合、攪拌により凝集して水中に浮遊する汚濁物質のフロック（凝集物）の回収・除去方法とこれに用いる回収具の改良に関するものであり、小型水槽等の水や沼湖や河川、港湾等の広大な水域の水の浄化処理に利用されるものである。
【０００２】
近年、環境汚染の防止や汚染された地球環境の回復が人類社会の重要な課題となっており、その中でも、特に河川や港湾等を対象とする大規模な水環境の回復、改善は、優先的に解決されるべき問題となって来ている。
【０００３】
そのため、各種の汚水処理用薬剤や汚水処理用薬剤の散布方法が開発され、港湾や河川を対象とする大規模な水の浄化処理が試みられている。
【０００４】
ところが、従前の処理用薬剤を用いた水の浄化処理、例えば凝集用薬剤を用いた浄化処理に於いては、水中の汚濁物質をうまく凝集沈殿させることが出来たとしても、これ等の凝集物の大部分は河床等に未分解のまま堆積することになり、潮流の変化等の自然現象により凝集した沈殿物が再浮上したり、或いは河床上でヘドロ化すると云う問題があった。  勿論、凝集した沈殿物の一部は、微生物の作用により自然分解されて行くが、この微生物による自然分解の速度は極めて遅いため、現実には凝集した沈殿物の６０〜８０％が潮流の変化等によって再浮上すると云われている。
【０００５】
一方、上述の如き問題を解決するものとして、本願発明者等は先きに、ポリグルタミン酸架橋物を主体とする生分解性の水質浄化剤（日本ポリグル株式会社製  使用品名  ＰＧα２１）を開発すると共に、この生分解性の水質浄化剤を用いて、各地の河川や沼湖に於いて水中汚濁物質の凝集沈殿実験を繰り返して来た。尚、生分解性の浄化剤（凝集剤）を用いたのは、当該凝集剤を核にして凝集した沈殿物の方が、少なくとも従前のポリアクリルアミド等の合成高分子凝集剤により凝集せしめた沈殿物よりも、自然分解される可能性が高かく且つ自然分解速度も早いからである。
【０００６】
尚、上記生分解性凝集剤は、自然界で容易に分解されて天然アミノ酸の一種であるグルタミン酸に変換されるものであり、分解されるとモノマーのアクリルアミドになる従前のポリアクリルアミドを主体とする高分子凝集剤とは物性を基本的に異にするものである。
【０００７】
また、本願発明者等は、上記生分解性水質浄化剤の水中への散布方法についても多くの試験を積み重ね、その試験結果から、河川や沼湖、港湾等の大規模な環境浄化処理対象域に対しても容易に適用することが出来、高能率で域内の水中汚濁物質を凝集沈殿せしめて水の浄化処理が行なえると共に、凝集沈殿せしめた沈殿物質を比較的早期に自然分解できるようにした水中への薬剤の散布方法とこれに用いる散布器とを開発し、これを公開している。
【０００８】
図８は、上記河川等の浄化処理に使用する散布システムの一例を示すものであり、船舶等に生分解性凝集用薬剤Ｂを貯留した薬剤タンク１６を積載すると共に、船体の後方に吸水管１１を介して筒状噴射体１２を取り付ける。そして、回転駆動装置１４によってインペラ１３を高速回転させることにより、吸水孔１５から水を吸入すると共に、制御弁１７を通して適宜量の凝集用薬剤Ｂを吸水管１１内へ吸引させ、これ等を噴射口１２ａから被処理水Ｗ中へ噴出する。尚、筒状噴射体１２の水深は約１〜３ｍ程度に設定されている。
【０００９】
上記図８の散布システムを用いて大阪湾近傍（陸地より約３００ｍ）で水の浄化処理試験を行なったところ、船舶の後方の深さ１．５〜２．０ｍの領域内へ薬剤Ｂはほぼ均一に拡散混合され、且つ凝集剤Ｂが拡散・混合された領域内の水中に存在する汚濁物質は、６０〜３００分後にはほぼ完全に凝集・沈殿することが判明した。
【００１０】
尚、この時の試験条件は、船舶の航行速度１０ｋｍ／ｈｒ、薬剤投入量２０ｋｇ／ｍｉｎ、インペラー回転数６００ｒｐｍ、筒状噴射ケース１２の内径３００ｍｍ、長さ１０００ｍｍ、吸水管１１の内径７５ｍｍ、吸入孔１５の径１５ｍｍφ×８ケであった。
【００１１】
また、海水の汚濁度は、凝集用薬剤Ｂの混入前のＣＯＤ値が約２．０ｐｐｍであったものが、処理後（凝集用薬剤Ｂの混入後約６０分）には約０．５〜０．２ｐｐｍとなった。
当該テスト結果からも明らかなように、本願発明者等が先きに開発をした生分解性凝集用薬剤Ｂ並びにこれを用いた水の浄化処理方法は、広大な水域面積の汚濁物質の沈殿分離に適用することができ、特に深さ３〜４ｍ程度の上層水の浄化処理、即ち、水深５〜１０ｍ程度の河川や沼湖の浄化処理に於いては、優れた実用的効用を奏するものである。
【００１２】
しかし、上記水の浄化処理システムにも、まだ解決すべき多くの問題が残されている。その中でも特に問題となる点は、凝集により沈殿・分離された汚濁物質の自然分解の点である。
前述の通り、凝集用薬剤Ｂにより凝集された汚濁物質は順次河床等へ沈殿・堆積し、ここで自然分解されることになるが、完全に分解される迄には相当の時間を必要とする。そのため、河川の水流の変化や潮流の変化によって、一旦分離・沈殿した物質が再浮上することになり、浄化処理した水が再度汚損状態に戻る虞れがあると云う点である。
【００１３】
そこで、本願発明者等は、凝集用薬剤Ｂの混合、攪拌により凝集された汚濁物質が、分離・沈殿して河床等へ到達する迄に相当の時間的余裕（約２０〜６０分程度）があることに着目し、水中に浮遊している状態の汚濁物質の凝集物（フロック）をこれが沈殿する前に回収することを着想し、各種の凝集物の回収具並びに凝集物の回収方法について実用化試験を繰り返した。
【発明の開示】
【発明が解決しようとする課題】
【００１４】
本願発明は、上記着想とこれに基づく実用化試験の結果から創案されたものであり、水中に浮遊する汚濁物質の凝集物（フロック）を簡単且つ確実に回収具に付着させてこれを回収することができ、且つ付着した汚濁物質を極く簡単に回収具から脱離させることが出来るようにすることにより、回収具の再利用を可能とした点に特徴を有するものである。
【課題を解決するための手段】
【００１５】
即ち、本願請求項１の発明は、  被処理水内へ凝集用薬剤を混合、攪拌すると共に、当該被処理水内をメッシュ状薄板体から成る回収具を移動させ、凝集用薬剤の混合、攪拌により凝集して被処理水内に浮遊した状態の汚濁物質のフロックを、前記メッシュ状薄板体の外表面へ固着させて回収することを発明の基本構成とするものである。
【００１６】
請求項２の発明は、請求項１の発明に於いて、被処理水を水槽、河川又は湖沼の水若しくは港湾などの塩水とすると共に、凝集用薬剤をポリグルタミン酸架橋物を主体とする生分解性凝集剤とするようにしたものである。
【００１７】
請求項３の発明は、請求項２の発明に於いて、船舶により凝集用薬剤の混合、攪拌及び回収具によるフロックの回収を行なう構成としたものである。
【００１８】
請求項４の発明は、請求項１又は請求項２の発明に於いて、回収具のメッシュ状薄板体に付着した汚濁物質のフロックを、当該付着物が乾燥、硬化する前にメッシュ状薄板体に振動を与えて剥離脱落させると共に、当該付着物を脱落させた後の回収具を再使用するようにしたものである。
【００１９】
請求項５の発明は、棒状又は枠状の支持体１と、当該支持体１に固定した複数のメッシュ状薄板体２とから形成され、フロックを前記メッシュ状薄板体２の外表面へ付着させて回収することを発明の基本構成とするものである。
【００２０】
請求項６の発明は、四角状の枠体に形成した支持体１と、複数枚のメッシュ状薄板体２を断面形状が格子を形成するように組み合せて一体化した角柱状のメッシュ板ユニット３とから形成され、フロックを前記メッシュ板ユニットの外表面へ付着させて回収することを発明の基本構成とするものである。
【００２１】
請求項７の発明は、請求項５の発明に於いて、メッシュ状薄板体を合成樹脂繊維よりなる０．８〜１．５ｍｍ平方のメッシュを有する織物から形成するようにしたものである。
【００２２】
請求項８の発明は、請求項６の発明に於いて、メッシュ状薄板体を、０．８〜１．５ｍｍ平方又は０．５〜３．０ｍｍφの孔を多数穿設した合成樹脂製薄体から形成するようにしたものである。
【００２３】
前記本願発明は、河川や港湾等の水の浄化処理だけでなく、一般家庭における鑑賞魚水槽やプール、散水用池等の水の浄化処理や土木工事関係における浚渫時のヘドロ含有水や、地盤改良時の薬剤混入排出水、漁業関係に於ける赤潮（海水）、農業・畜産関係に於ける農業用水池の貯水や畜舎排水、工業施設に於ける各種排水及び災害発生時に於ける非常用生活水等の浄化処理にも適用可能なものであることは、勿論である。また、本願発明は、池や河川底、海底等に堆積したヘドロの回収等にも応用することができる。
【発明の効果】
【００２４】
本発明に於いては、凝集されて水中にフロッグ状態で浮遊する汚濁物質が、回収具の主体をなす薄板体メッシュ体に強固に、しかも積層状に順次付着されることになり、凝集物を、これが河床等へ沈殿する前に高能率で水中から分離回収することが出来る。その結果、水槽等にあっては浄化水を引き続き利用することができ、また、河川等にあっては、沈殿した汚濁物質の凝集物のヘドロ化等を完全に防止することができる。
【００２５】
また、本発明に於いては、回収具に積層状に付着した汚濁物質を、乾燥等の予備的な処理を全く行なうことなしに、回収具に極く弱い機械的振動を与えるだけで能率よく脱離させることができ、その結果、回収具の再利用が可能となって、経済性に優れている。
【発明を実施するための最良の形態】
【００２６】
以下、図面に基づいて本発明の実施形態を説明する。
先ず、本願発明者等は、「凝集用薬剤Ｂの混入により凝集されて水中にフロック状態で浮遊する汚濁物質（以下フロックと呼ぶ）」の分離回収のための基礎資料を得るため、凝集用薬剤の種類と回収具を形成する資材の種類を変えて回収効率の比較試験を行なった。
【００２７】
試験の方法は、５００ｍｍ×５００ｍｍ×３００ｍｍの水槽内へ所定濃度の汚濁物質を含む被処理水を一定量貯溜し、これに所定量の凝集用薬剤（ＰＧα２１、ＰＧα２１Ｃａ、ＰＡＣ）を投入する。次に、棒状の軸芯に１０ｃｍ×２０ｃｍのメッシュ状薄板体（メッシュ間隔１．５ｍｍのポリエステル製のメッシュ布及び不織布）を２枚放射状に取付けした回収具により、前記凝集用薬剤Ｂを混入した被処理水を一定の速度で一定の時間に亘って攪拌混合し、各メッシュ状薄板体に付着して回収された汚濁物質の量を測定した。
【００２８】
また、水中から引上げた後、所定時間（約１０分）経過後に回収具に振動を与え、付着した汚濁物質の脱離量を測定した。
尚、各凝集用薬剤及び各回収具について、凝集用薬剤の投入量や被処理水の汚濁物質濃度等の各試験条件が同一に保持されていることは勿論である。
【００２９】
表１は上記試験結果をまとめたものである。
【表１】
2005205281.tif 000003
尚、凝集剤のＰＧα２１及びＰＧα２１Ｃａは後述する日本ポリグル株式会社製の凝集剤（商品名）であり、ＰＡＣは市販の高分子凝集剤である。
【００３０】
上記表１からも明らかなように、本願発明の適用が可能な被処理水は、凝集用薬剤としてＰＧα２１Ｃａを使用して汚濁物質を凝集させたものであり、且つ汚濁物質の凝集物を回収する回収具の主体を形成するメッシュ状薄板体は所謂メッシュを多数有する薄板体でなければならないことになる。
【実施例１】
【００３１】
図１は、上記試験結果から、一般家庭や工場に於ける水浄化処理用に利用する回収具の一例を示すものであり、また図２は回収具の第２実施例を、図３は第３実施例を、図４は第４実施例を夫々示すものである。
【００３２】
図１乃至図４に於いて、Ａは回収具、１は支持体、２はメッシュ状薄板体であり、支持体１及びメッシュ状薄板体２から回収具Ａが形成されている。
また、前記支持体１は合成樹脂又は金属体により所望の形状に形成されている。
更に、メッシュ状薄板体２としては厚手の合成樹脂製繊維の布状体やシート体が最適であり、本実施例では約１．５ｍｍ×１．５ｍｍメッシュのポリエステル製厚布体（厚さ約０．５〜０．８ｍｍ）が使用されている。
尚、支持体やメッシュ状薄板体の形状が如何なるものであってもよいことは勿論である。
【００３３】
一方、家庭用の鑑賞魚用水槽等の水の浄化処理に際しては、水槽内へ凝集用薬剤Ｂとして所定量の前記ＰＧα２１Ｃａを混入すると共に、回収具Ａを水中へ挿入して水を軽く攪拌する。
そうすると、凝集剤Ｂにより水中の汚濁性物質が凝集し始めると共に、凝集したフロックがメッシュ状薄板体２へ順次付着することにより、水中より回収される。
【００３４】
例えば、容量３００〜５００ｌ程度の鑑賞魚用水槽（約１〜２ケ月使用済み、大形金魚２０〜２５匹）であれば、約５〜１０ｇｒのＰＧα２１Ｃａの投入でもって２〜３分間の浄化処理で、汚濁物質をほぼ完全に回収することが出来る。そして、浄化処理後の水は引き続き使用に供することが出来る。
【００３５】
また、汚濁物質の回収を終えた回収具Ａは、付着した汚濁物質が乾燥、固化する前に、即ち回収した付着物（フロック）が水分を含有して柔軟な状態にある時に回収具Ａに振動を与え、これをメッシュ状薄板体２から脱落させる。現実には、回収具Ａを軽く床面等へ接当させることにより、付着した汚濁物質は略全量が簡単に脱落し、回収具Ａは再利用に供することが出来る。
【００３６】
尚、付着物（フロック）が乾燥固化してしまうと、単に振動を与えた程度ではこれを脱落させることが出来なくなる。
【００３７】
前記凝集用薬剤Ｂは、本件出願人が開発して実用に供している商品名ＰＧα２１Ｃａと呼ばれる粉体状凝集剤であり、生分解性を有するγ−ポリグルタミン酸を主体とする新規な自然分解性の物質であり、下記の構造式であらわされるものである。
【化１】
2005205281.tif 000004
また、凝集剤Ｂ内のＯ、Ｃａ、Ｆｅ、Ｓｉ等は通常２ＣａＳＯ4 ・Ｈ2 Ｏ、ＮａＣＯ3 ・Ｈ2 Ｏ、ＮａＳＯ4 、ＭｇＳＯ4 ・６Ｈ2 Ｏ、Ａｌ2 （ＳＯ4 ）・１８Ｈ2 Ｏ等の化学構造式で表わされる物質の型で当該凝集剤Ｂ内に含まれている。
【００３８】
即ち、当該凝集用薬剤Ｂは、下記の成分量（ｗｔ％）を有している。
成分構成（ｗｔ％）
ＰＧα２１＝１４％、Ｃ＝０．５％、Ｏ＝４５％、Ｎａ＝８％、Ａｌ＝０．５％、Ｓｉ  ＝１２％、Ｃｌ＝０．４、Ｃａ＝１５％、Ｋ＝０．１％、Ｆｅ＝１５％。
【実施例２】
【００３９】
図５は、本願発明を河川や沼湖、港湾等の広域な範囲の水（又は海水）を浄化処理する場合に使用する凝集物の回収具Ａの斜面図であり、支持体１とメッシュ状薄板体２とから回収具Ａが形成されている。
【００４０】
即ち四角状の枠体に形成された支持体１に、メッシュ状薄板体２を複数枚格子状に組み合せて形成したメッシュ状ユニット３の一端が固定されており、当該支持体１が保持枠４（図示省略）を介して船舶等により牽引されることにより、凝集用薬剤により汚濁物質が凝集されてフロック状態で水中に浮遊している凝集物が、メッシュ状薄板体２の外表面へ付着回収される。
【００４１】
本実施例に於いては、支持体１は横幅５〜６ｍ、高さ３〜５ｍに選定されており、メッシュ状薄板体２の長さ寸法は約８〜１２ｍ、厚さは１．０〜１．５ｍｍ程度に選定されている。
また、当該回収具Ａは図６に示すように船体５に固定した保持枠４に取り付けすることにより、これを水中の所定位置に保持し乍ら牽引きされることになる。
【００４２】
前記メッシュ２枚ユニット３は、１．２〜３ｍｍ角の四角状の孔又は１．０〜２．０ｍｍφの丸孔を多数穿設した厚さ１．０〜１．５ｍｍ、長さ８〜１２ｍ、横幅５〜８ｍ程度のメッシュ状薄板２を、断面形状が格子状となるように多数（約３０ｍｍピッチで１５０〜２００枚）組み合せ固着することにより、角柱状に形成されている。
【００４３】
図６本発明を港湾等の海水の浄化処理へ適用した場合の説明図であり、図６に於いて、５は船舶、６は薬剤タンク、７は薬剤定量フィーダー、８はコンプレッサー、９は薬剤噴出ノズル、１０は配管路、Ｓは船舶のスクリュー、Ｃは薬剤散布装置、Ｂは凝集用薬剤である。
前記薬剤散布装置Ｃは、薬剤噴出ノズル９の部分を除いて船舶５のデッキ上に配設されており、所定のスピード（例えば１０ｋｍ／Ｈ）で航行しつつ海水内へ所定量（例えば１０〜３０ｋｇ／ｍｉｎ）の凝集用薬剤が噴出され、海水内へ混合される。
【００４４】
凝集用薬剤Ｂは、船舶５後方の深さ１．５〜３ｍ、横幅３〜５ｍの領域内へ均等に拡散混合され、これにより海水内の汚濁物質は凝集され、所謂フロックとなつて海水中に浮遊する。
【００４５】
前記凝集された汚濁物質（フロック）は、海水の動きが少ない場合には約４０〜６０分後に、ほぼ完全に凝集沈殿するが、凝集用薬剤Ｂの散布から約３０分間ほどの間は、凝集しつつフロック状態で海水中に浮遊している。
そのため、凝集用薬剤Ｂの散布後１０〜３０分後に船舶５を前記薬剤Ｂの散布領域を航行させることにより、回収具Ａに凝集した汚濁物質を付着させることが出来る。
【００４６】
尚、船舶５の航行速度が速いと、凝集剤Ｂが機能して汚濁物質が凝集を始める前に回収具Ａが通過することになり、その結果、回収具Ａに凝集した汚濁物質を固着させることは困難となる。そのため、前述の通り船舶５を回航するか、又は後退させ先に凝集用薬剤Ｂを散布した領域を再度走行させるようにしている。
【００４７】
又、図６に於いては、凝集用薬剤Ｂの散布と凝集した汚濁物質の回収とを同一の船舶５を用いて、夫々別々の工程により行うようにしているが、船舶５の航行速度を極く低速とし、薬剤Ｂの散布と回収具Ａによる凝集汚濁物質の回収とを同時に平行的に行うことも可能である。
このようにした場合には、船舶５の回航が不要となり、総合的な海水の処理効率が向上することになる。
【００４８】
図７は、凝集用薬剤Ｂの散布と凝集した汚濁物質（フロック）の回収とを別個に行うようにした場合の汚濁物質の回収船の斜面図であり、回収具Ａを保持枠４を介して牽引することにより、凝集した汚濁物質の付着回収が行なわれる。
【００４９】
回収船により回収具Ａを牽引することにより、凝集用薬剤Ｂの散布によって凝集をし、海水中に浮遊した状態の汚濁物質（フロック）は、回収具Ａのメッシュ状薄板体の外表面へ固着し、海水中から分離されることになる。
回収具Ａの牽引速度は３０〜５０ｍ／ｍｉｎ程度が最適であり、且つ回収時間は凝集用薬剤Ｂの散布後１０〜２０分程度が最適である。
【００５０】
凝集した汚濁物質が付着した回収具Ａは、各メッシュ状薄板体２の外表面の付着量が所定量（約１０〜３０ｍｍの厚さ）に達すると、回収具Ａを船舶上又は地上へ引上げ、付着物が乾燥する前に回収具Ａに適宜の振動を与えることにより、固着物（フロック）を剥離させる。
【００５１】
上記処理操作をサイクル的に繰り返すことにより、拡大な領域の河川や港湾であっても海水の浄化処理を連続的に高能率で行うことができ、しかも河床等への沈殿物を大幅に減少させることが出来るため、凝集用薬剤が生分解性であることも相挨つて、ヘドロ化等の危険が大幅に減少することになる。
【実施例３】
【００５２】
海面に発生した所謂赤潮を処理対象として、本願発明を実施した。先ず、図６の形態の船舶を用い、処理海域の水面下５００〜１０００ｍｍの位置へ２０〜３０ｋｇ／ｍｉｎの割合（航行速度約１０ｋｍ／Ｈｒ・散布幅約４ｍ）で凝集用薬剤（ＰＧα２１Ｃａ）Ｂを噴出し、スクリューＳにより凝集用薬剤Ｂと海水とを強制的に攪拌混合させた。次に、約３０〜４０分後に図６の形態の船舶を用い、回収具Ａを約５〜１０ｋｍ／Ｈｒの速度で牽引することにより、赤潮が凝集して形成された海水中に浮遊するフロックを回収した。
【００５３】
当該浄化処理により、赤潮の大部分は回収されてしまい、処理後の海面には赤潮が殆んど残留しないことが判明した。
【実施例４】
【００５４】
河川底に堆積するヘドロを処理対象として本願発明を実施した。実施に際しては、先ず小型船舶を走行させ、河川底に堆積したヘドロを攪拌しつつ凝集用薬剤（ＰＧα２１Ｃａ）Ｂを約３０ｋｇ／ｍｉｎ（走行速度約１０ｋｍ／Ｈｒ・散布幅約４ｍ）の割合で水中へ噴出し、これを水中へ攪拌混合させた。そして、約２０〜３０分後に、水中に沈めた前記図６形態の回収具Ａを約５〜８ｋｍ／Ｈｒの速度で牽引し、凝集用薬剤Ｂによりフロック化された汚泥を回収具Ａに付着させることにより、回収した。
【００５５】
上記浄化処理後に河川底を検査したところ、堆積したヘドロは大幅に減少していることが判明した。当該実施例により、河川底等に体積したヘドロであっても、これを攪拌等によって水中へ再浮上させることにより、本願発明によって効率よく回収できることが判明した。
【産業上の利用可能性】
【００５６】
本願発明は、河川や港湾等の海水、一般家庭に於ける水槽やプールの水、農業用溜池、土木関係廃水、漁業関係の水槽水、赤潮、工業用排水、畜産用排水及び非常用生活水等の各種水（又は海水）の浄化処理に適用可能なものである。
【図面の簡単な説明】
【００５７】
【図１】本発明で使用する回収具の第１実施例を示す斜面図である。
【図２】回収具の第２実施例を示す斜面図である。
【図３】回収具の第３実施例を示す斜面図である。
【図４】回収具の第４実施例を示す斜面図である。
【図５】広域な面積の河川や港湾等の水（海水）の浄化処理に使用する回収具の斜面図である。
【図６】海水の浄化処理方法の説明図である。
【図７】海水の浄化処理方法の他の例を示す説明図である。
【図８】先に開発した凝集用薬剤散布装置の説明図である。
【符号の説明】
【００５８】
Ａ  汚濁物質の回収具、Ｂ  凝集用薬剤、Ｃ  薬剤散布装置、１  支持体、２  メッシュ状薄板体、３  メッシュ枚ユニット、４  保持枠、５  船舶、６  薬剤タンク、７  薬剤定量フィーダ、９  薬剤噴出ノズル、１０  配管路。
【図１】
2005205281.tif 000005
【図２】
2005205281.tif 000006
【図３】
2005205281.tif 000007
【図４】
2005205281.tif 000008
【図５】
2005205281.tif 000009
【図６】
2005205281.tif 000010
【図７】
2005205281.tif 000011
【図８】
2005205281.tif 000012